【事件の表示】
　特願２０１７−１８０１０７「伝票処理装置、伝票処理方法及びプログラム」拒絶査定不服審判事件〔平成３１年　４月１１日出願公開、特開２０１９−　５７０２６〕について、次のとおり審決する。
【結　論】
　本件審判の請求は、成り立たない。
【理　由】
第１　手続きの経緯
　本願は，平成２９年９月２０日の出願であって，平成３０年１２月１０日に手続補正がなされ，令和１年７月１９日付けで拒絶理由通知がされ，令和１年９月６日に意見書が提出されるとともに手続補正がなされ，令和１年１２月２０日付けで拒絶査定（以下，「原査定」という。）がなされたが，これに対し，令和２年３月１０日に拒絶査定不服審判の請求がなされるとともに手続補正がなされたものである。
第２　令和２年３月１０日にされた手続補正についての補正の却下の決定
［補正の却下の決定の結論］
　令和２年３月１０日にされた手続補正（以下，「本件補正」という。）を却下する。
［理由］
１．本件補正について
（１）本件補正により，特許請求の範囲の請求項１の記載は，次のとおり補正された。（下線は，補正箇所である。）
「伝票に光線を照射し、前記伝票に設けられたバーコードから識別情報を読み取る
読取
　
使用者からの撮影指示に応答し、撮影手段に前記伝票の撮影を実施させる撮影制御手段と、
　
前記撮影制御手段によって前記伝票の撮影画像が取得された際に、前記読取手段に前記伝票への光線の照射を開始させることで前記識別情報の読み取りを実施させる読取制御手段と、
　前記
読取制御手段によって
読み取り
前記
対応
　
を備えた
（２）本件補正前の特許請求の範囲の記載
　本件補正前の，令和１年９月６日にされた手続補正による特許請求の範囲の請求項１の記載は次のとおりである。
「伝票に光線を照射し、前記伝票に設けられたバーコードから識別情報を読み取る読み取り手段と、
　前記伝票を撮影する撮影手段と、
　使用者からの情報取得指示に応答し、前記読み取り手段による前記識別情報の読み取りと、前記撮影手段による前記伝票の撮影と、を実施する情報取得制御手段と、
　前記識別情報の取得に成功したことを条件に、前記伝票の撮影画像を、取得された識別情報と関係付けて所定の記録手段に記録する記録制御手段と、を備え、
　前記情報取得制御手段は、前記読み取り手段による前記識別情報の読み取りよりも前記撮影手段による前記伝票の撮影を先に実施する、
　ことを特徴とする伝票処理装置。」
（３）補正事項
　本件補正は以下の補正事項を含むものである。
ア　補正事項１
　本件補正前の請求項１の
「読み取り手段」
を，本件補正後の請求項１の
「
読取
とする補正。
イ　補正事項２
　本件補正前の請求項１の
「前記伝票を撮影する撮影手段」
を削除する補正。
ウ　補正事項３
　本件補正前の請求項１の
「使用者からの情報取得指示に応答し、前記読み取り手段による前記識別情報の読み取りと、前記撮影手段による前記伝票の撮影と、を実施する情報取得制御手段」であって，「前記情報取得制御手段は、前記読み取り手段による前記識別情報の読み取りよりも前記撮影手段による前記伝票の撮影を先に実施する」
を，本件補正後の請求項１の
「
使用者からの撮影指示に応答し、撮影手段に前記伝票の撮影を実施させる撮影制御手段と、
　
前記撮影制御手段によって前記伝票の撮影画像が取得された際に、前記読取手段に前記伝票への光線の照射を開始させることで前記識別情報の読み取りを実施させる読取制御手段
とする補正。
エ　補正事項４
　本件補正前の請求項１の
「前記識別情報の取得に成功したことを条件に、前記伝票の撮影画像を、取得された識別情報と関係付けて所定の記録手段に記録する記録制御手段」
を，本件補正後の請求項１の
「前記
読取制御手段によって
読み取り
前記
対応
とする補正。
２．補正の適否
（１）補正の目的について
ア　補正事項１について
　本件補正前の請求項１の「読み取り手段」を，本件補正後の請求項１の「
読取
イ　補正事項２について
　本件補正後の請求項１にも「撮影手段」という語はあるが，この「撮影手段」は，「伝票処理装置」によって「伝票の撮影を実施させ」られるものであり，「伝票処理装置」が備えるものであるとはいえない。
　したがって，補正事項２は，特許法第１７条の２第５項第２号の特許請求の範囲の減縮を目的とするものに該当しない。
　また，補正事項２は，請求項の削除，誤記の訂正及び明りょうでない記載の釈明を目的とするものでないから，特許法第１７条の２第５項第１号，第３号及び第４号に掲げる事項を目的とするものでもない。
ウ　補正事項３について
　本件補正前の請求項１の「情報取得制御」を，本件補正後の請求項１の「
撮影制御
読取制御
使用者からの撮影指示に応答し、撮影手段に前記伝票の撮影を実施させる撮影制御手段
前記識別情報の読み取りを実施させる読取制御手段
　本件補正前の請求項１の「前記読み取り手段による前記識別情報の読み取り」「を実施」を，本件補正後の請求項１の「
前記読取手段に前記伝票への光線の照射を開始させることで前記識別情報の読み取りを実施
　本件補正前の請求項１の「前記読み取り手段による前記識別情報の読み取りよりも前記撮影手段による前記伝票の撮影を先に実施」を，本件補正後の請求項１の「
前記撮影制御手段によって前記伝票の撮影画像が取得された際に、
前記識別情報の読み取りを実施
エ　補正事項４について
　本件補正前の請求項１の「前記識別情報の取得に成功したことを条件」を，本件補正後の請求項１の「前記
読取制御手段によって
読み取り
　本件補正前の請求項１の「関係付けて所定の記録手段に記録」を，本件補正後の請求項１の「
対応
３．むすび
　以上のとおり，本件補正は，特許法第１７条の２第５項に規定する要件に違反するものであり，同法第１５９条第１項で読み替えて準用する同法第５３条第１項の規定により却下されるべきものである。
　よって，上記補正の却下の決定の結論のとおり決定する。
第３　本願発明について
１．本願発明
　本件補正は，上記のとおり却下されたので，本願の請求項１に係る発明（以下，「本願発明」という。）は，上記「第２　１．（２）」に記載したとおりであり，以下に再掲する。
　なお，符号Ａ−Ｆは，説明のために当審で付与したものであり，以下「構成Ａ」−「構成Ｆ」という。
「【請求項１】
Ａ　伝票に光線を照射し、前記伝票に設けられたバーコードから識別情報を読み取る読み取り手段と、
Ｂ　前記伝票を撮影する撮影手段と、
Ｃ　使用者からの情報取得指示に応答し、前記読み取り手段による前記識別情報の読み取りと、前記撮影手段による前記伝票の撮影と、を実施する情報取得制御手段と、
Ｄ　前記識別情報の取得に成功したことを条件に、前記伝票の撮影画像を、取得された識別情報と関係付けて所定の記録手段に記録する記録制御手段と、を備え、
Ｅ　前記情報取得制御手段は、前記読み取り手段による前記識別情報の読み取りよりも前記撮影手段による前記伝票の撮影を先に実施する、
Ｆ　ことを特徴とする伝票処理装置。」
２．原査定における拒絶の理由
　本願の請求項１ないし１１に係る発明は，以下の引用文献１ないし引用文献２に記載された発明に基づいて，その出願前にその発明の属する技術の分野における通常の知識を有する者が容易に発明をすることができたものであるから，特許法第２９条第２項の規定により，特許を受けることができない，というものである。
引用文献１．特開２００５−２７５５３０号公報
引用文献２．特開平１０−２４０８５２号公報
３．引用文献の記載事項
（１）原査定の拒絶の理由で引用された引用文献１（特開２００５−２７５５３０号公報）には，以下の事項が記載されている。
（当審注：下線は，参考のために当審で付与したものである。以下同様。）
「【００５５】
　（実施の形態１）
　図１ａ、図１ｂは、
光学的情報読取装置１
バーコード
の
情報の読み取りと画像
の取得をする光学系２を
「【００５７】
　光学系２は
撮像部９
から構成され
【００５８】
　指標パタン１５の光線の射出方向は結像レンズ１１の瞳とエリアセンサ１２の撮像エリアの中心を結ぶ受光軸（イ）に平行で近接し、Ｈ字型の指標パタン１５の幅方向の広がり角は撮像部９の視野（ウ）の横方向の広がり角と略同じであり、画像取得対象に照射されたＨ字型の指標パタン１５は常に中心が撮像部９の視野（ウ）の中心に近接し、Ｈ字型の指標パタン１５の幅は視野（ウ）の横方向長さと略一致して、撮像部９の撮像位置と横方向の撮像範囲を指示する。光学的情報読取装置１内にあるプリント基板上に構成された
制御回路１７は
撮像部９
の駆動制御
バーコード
の光学的情報を抽出して復号化
取得した画像を記憶部としてのメモリ素子に記憶を行
「【００６０】
　光学的情報読取装置１を
記録媒体１８に対向させトリガースイッチ７を押すことで読取開始信号が入力され
【００６１】
　半導体レーザ１４は、撮像部９の照明ＬＥＤ１０を点灯してエリアセンサ１２が露光する間は消灯され、エリアセンサ１２が露光していない間に点灯される。エリアセンサ１２は繰り返し露光して結像レンズ１１によって結像された像を電気信号に変換して
画像
を
取得
【００６２】
　光学的情報読取装置１を動かして、Ｈ字型の指標パタン１５の中央のラインをバーコード１９の長手方向の中心軸に合わせ、バーコード１９の輪郭がＨ字型の指標パタン１５の両端のラインに合わせられた時、撮像部９の視野（ウ）の中央にバーコード１９が位置し、さらに、結像レンズ１１の合焦点位置近くに記録媒体１８が位置する時、取得した画像を２値化して
バーコード１９を抽出して複合化（当審注：「復号化」の誤記であると認められる。）
復号化が成功すると
バーコード１９の読み取りを終え
読み取った情報をメモリ素子に記憶させ
「【００６５】
　また、バーコードが読み取れる範囲では、結像レンズ１１の合焦点位置近くに記録媒体１８が位置しており、撮像部９はピントのあった画像を記憶することがきる。光学的情報読取装置１は、液晶表示画面５に署名２０の画像を表示して、取得した画像を記憶するかどうかの入力待ちの状態となる。表示された署名２０の画像がきれいであるときメインスイッチ６の所定のスイッチを押して、取得した
画像をメモリ素子へ
記憶
「【００６７】
　このように、
光学的情報の読み取り完了と同時に
画像の
記憶を行うことで
記録媒体１８が荷物の送り状である時
取得した
画像
に読み取ったバーコード１９の
情報を略一括で取得、読み取りができるので、一対一対に関連づけて管理させ易い
「【００９７】
　（実施の形態３）
　図８ａ、図８ｂは、
光学的情報読取装置
「【００９９】
　光学系は
レーザ光を走査させてバーコード等の光学的情報の読み取りを行うためのバーコード読取部４５と画像
の取得をするための撮像部４６
「
【図１】（ａ）」
「
【図２】」
「
【図９】」
（２）上記引用文献１の特に下線部の記載より，上記引用文献１の実施の形態１には，次の発明（以下，「引用発明」という。）が記載されていると認められる。
　なお，符号ａ−ｈは，説明のために当審で付与したものであり，以下「構成ａ」−「構成ｈ」という。
「ａ　光学的情報読取装置であって，バーコードの情報の読み取りと画像の取得をする光学系を備え，
　ｂ　光学系は，撮像部から構成され，
　ｃ　制御回路は，撮像部の駆動制御，バーコードの光学的情報を抽出して復号化，取得した画像を記憶部としてのメモリ素子に記憶を行い，
　ｄ　記録媒体に対向させトリガースイッチを押すことで読取開始信号が入力され，
　ｅ　画像を取得し，
　ｆ　バーコードを抽出して復号化し，復号化が成功すると，バーコードの読み取りを終え，読み取った情報をメモリ素子に記憶させ，
　ｇ　画像をメモリ素子へ記憶し，
　ｈ　光学的情報の読み取り完了と同時に画像の記憶を行うことで，記録媒体が荷物の送り状である時，取得した画像に読み取ったバーコードの情報を略一括で取得，読み取りができるので，一対一対に関連づけて管理させ易い，
　ａ　光学的情報読取装置。」
　また，上記引用文献１の実施の形態３には，次の技術的事項も記載されていると認められる。
　なお，符号ｉは，説明のために当審で付与したものであり，以下「構成ｉ」という。
「ｉ　レーザ光を走査させてバーコード等の光学的情報の読み取りを行うためのバーコード読取部と画像の取得をするための撮像部を備える光学的情報読取装置。」
４．対比・判断
（１）構成Ａについて
　引用発明の「荷物の送り状」は，本願発明の「伝票」に相当する。
　構成ａ，ｈによれば，引用発明の「バーコードの情報」は，「荷物」を「識別」するための「情報」であることは明らかである。
　また、構成ａによれば，引用発明の「光学系」は，「バーコードの情報の読み取り」をしている。
　したがって，引用発明の，「荷物の送り状」の「バーコード」から「バーコードの情報の読み取り」「をする光学系」と，本願発明の「読み取り手段」とは，下記の点で相違するものの，“伝票に設けられたバーコードから識別情報を読み取る読み取り手段”である点で共通する。
（２）構成Ｂについて
　構成ａ，ｂ，ｈによれば，引用発明の，「荷物の送り状」の「画像」を「取得」する「光学系」の「撮像部」は，本願発明の「伝票を撮影する撮影手段」に相当する。
（３）構成Ｃについて
　構成ａ，ｄ，ｅ，ｆによれば，引用発明の「読取開始信号」は，「トリガースイッチを押すことで」「入力され」るものであるから，操作者からの指示に応答したものといえるものであり，また，「読取開始信号が入力され」ることによって，「光学系」による「バーコードの情報の読み取り」と，「光学系」による「荷物の送り状」の「画像の取得」とが実施されているといえるから，引用発明の「読取開始信号」は，本願発明の「情報取得指示」に相当する。
　そして，構成ａ，ｃによれば，引用発明の「制御回路」は，「バーコードの光学的情報を抽出して復号化」することによって，「光学系」による「バーコードの情報の読み取り」を実施し，また，「撮像部の駆動制御」をすることによって，「光学系」による「画像の取得」を実施しているといえる。
　したがって，上記（１），（２）の検討結果を踏まえると，引用発明の，「トリガースイッチを押すことで読取開始信号が入力され」，「バーコードの光学的情報を抽出して復号化」し，「撮像部の駆動制御」をする「制御回路」は，本願発明の「使用者からの情報取得指示に応答し、前記読み取り手段による前記識別情報の読み取りと、前記撮影手段による前記伝票の撮影と、を実施する情報取得制御手段」に相当する。
（４）構成Ｄについて
　引用発明の「メモリ素子」は，本願発明の「所定の記録手段」に相当する。
　構成ｃ，ｆ，ｇによれば，引用発明の「制御回路」は，「バーコード」の「復号化が成功すると」，「画像」と，「バーコードの情報」とを「メモリ素子へ記憶」しているので，「バーコード」の取得が成功したことを条件に，「画像」と，「バーコードの情報」とを「メモリ素子へ記憶」しているといえる。
　ここで，構成ｈによれば，引用発明は，「画像」と「バーコードの情報」とを，「一対一対に関連づけて管理」しているから，「画像」と「バーコードの情報」とを「一対一対に関連づけて」「メモリ素子へ記憶」しているのは明らかである。
　したがって，上記（３）の検討結果を踏まえると，引用発明の，「画像」と「バーコードの情報」とを，「一対一対に関連づけて管理」し，「バーコード」の「復号化が成功すると」，「画像」と，「バーコードの情報」とを「メモリ素子へ記憶」する「制御回路」は，本願発明の「識別情報の取得に成功したことを条件に、前記伝票の撮影画像を、取得された識別情報と関係付けて所定の記録手段に記録する記録制御手段」に相当する。
（５）構成Ｅについて
　構成ｃ，ｅ，ｆ，ｈによれば，引用発明の「制御回路」は，「撮像部」による「画像」の取得をしてから，「バーコードの読み取り」をしているので，「バーコードの読み取り」よりも「撮像部」による「画像」の取得を先に実施しているといえる。
　したがって，上記（３）の検討結果を踏まえると，引用発明の，「撮像部」による「画像」の取得をしてから，「バーコードの読み取り」をする「制御回路」は，本願発明の，「読み取り手段による前記識別情報の読み取りよりも前記撮影手段による前記伝票の撮影を先に実施する」「情報取得制御手段」に相当する。
（６）構成Ｆについて
　構成ａによれば，引用発明の「バーコードの情報の読み取りと画像の取得」は，本願発明の「処理」に相当する。
　したがって，引用発明の，「荷物の送り状」の「バーコードの情報の読み取りと画像情報の取得をする」「光学的情報読取装置」は，本願発明の「伝票処理装置」に対応する。
　したがって，本願発明と引用発明との間には，次の一致点，相違点があるといえる。
（一致点）
「伝票に設けられたバーコードから識別情報を読み取る読み取り手段と、
　前記伝票を撮影する撮影手段と、
　使用者からの情報取得指示に応答し、前記読み取り手段による前記識別情報の読み取りと、前記撮影手段による前記伝票の撮影と、を実施する情報取得制御手段と、
　前記識別情報の取得に成功したことを条件に、前記伝票の撮影画像を、取得された識別情報と関係付けて所定の記録手段に記録する記録制御手段と、を備え、
　前記情報取得制御手段は、前記読み取り手段による前記識別情報の読み取りよりも前記撮影手段による前記伝票の撮影を先に実施する、
　ことを特徴とする伝票処理装置。」
（相違点）
　バーコードから識別情報を読み取る読み取り手段について，本願発明は，「伝票に光線を照射」する「読み取り手段」であるのに対して，引用発明は，そのようなことをしないものである点。
（２）相違点についての判断
　構成ｉによれば，引用文献１には，「レーザ光を走査させてバーコード等の光学的情報の読み取りを行うためのバーコード読取部」「を備える光学的情報読取装置」という技術的事項が記載されており，当該「レーザ光を走査させてバーコード等の光学的情報の読み取りを行うためのバーコード読取部」は，本願発明の「伝票に光線を照射し、前記伝票に設けられたバーコードから識別情報を読み取る読み取り手段」に相当する。
　バーコードの読み取りをどのように行うかについては，使用する状況等に応じて設計者が適宜選択し得るものであるところ，引用発明に当該技術的事項を適用して，引用発明を，「バーコードの情報の読み取り」「をする光学系」の代わりに，「レーザ光を走査させてバーコード等の光学的情報の読み取りを行うためのバーコード読取部」を備えるように構成することは，必要に応じて当業者が適宜なし得る事項である。
　そして，本願発明の奏する作用効果は，引用発明及び引用文献１に記載された技術の奏する作用効果から予測される範囲内のものにすぎず，格別顕著なものということはできない。
　したがって，本願発明は，引用発明及び引用文献１に記載された技術的事項に基づいて，当業者が容易に発明をすることができたものである。
第４　むすび
　上記のとおりであるから，本願発明は，特許法第２９条第２項の規定により特許を受けることができない。
　よって，結論のとおり審決する。